(57)【要約】【課題】  安全性を確保しつつ、折りたたみ可能な構成とすることによって作業効率を向上させ、設置作業時間の大幅な短縮化を図ると共に、搬送時におけるコンパクト化を図った懸垂式の折りたたみ足場を提供する。【解決手段】  本発明の懸垂式折りたたみ足場１は、作業足場２と、作業足場２から上方に向かって延設され、作業足場２とピン接合により連結される昇降部３と、昇降部３にピン接合により連結される渡り部４と、渡り部４の先端側に連結され、作業足場２、昇降部３及び渡り部４を一体に支持する支持部５とを含んで成り、昇降部３が上下方向に分割された複数の昇降部枠体で構成され、一の昇降部枠体７と他の昇降部枠体８との連結部９がピン接合によって連結され、作業足場２及び渡り部４に対して昇降部３が回動すると共に、一の昇降部枠体７と他の昇降部枠体８とが連結部９において屈曲することによって折りたたみ可能に構成されている。【選択図】  図１
2019148097.tif 000002
【特許請求の範囲】
【請求項１】
作業足場と、
前記作業足場から上方に向かって延設され、前記作業足場とピン接合により連結される昇降部と、
前記昇降部にピン接合により連結される渡り部と、
前記渡り部の先端側に連結され、前記作業足場、前記昇降部及び前記渡り部を一体に支持する支持部と、
を含んで成り、
前記昇降部が上下方向に分割された複数の昇降部枠体で構成され、
一の前記昇降部枠体と他の前記昇降部枠体との連結部がピン接合によって連結され、
前記作業足場及び前記渡り部に対して前記昇降部が回動すると共に、前記一の昇降部枠体と前記他の昇降部枠体とが連結部において屈曲することによって折りたたみ可能に構成されていることを特徴とする懸垂式折りたたみ足場。
【請求項２】
前記支持部がカウンタウェイトを備え、
前記カウンタウェイトがハンプ構造をなすことを特徴とする請求項１に記載の懸垂式折りたたみ足場。
【請求項３】
前記複数の昇降部枠体の上下方向に沿って複数の梯子部材が配設され、
前記複数の梯子部材が前記複数の昇降部枠体にピン接合によって連結されていることを特徴とする請求項１又は請求項２に記載の懸垂式折りたたみ足場。
【請求項４】
前記昇降部に複数の柵部材を備えることを特徴とする請求項１から請求項３の何れかに記載の懸垂式折りたたみ足場。
【発明の詳細な説明】
【技術分野】
【０００１】
本発明は、橋梁の桁下等における点検や補修、補強等の維持管理作業に好適な懸垂式折りたたみ足場に関する。
【背景技術】
【０００２】
従来、橋梁の桁下等における点検や補修、補強等の維持管理作業を行う際には、橋梁の地覆、防護柵や高欄の支柱にチェーンを固定し、このチェーンに鋼管を吊り下げ、鋼管間に作業足場となる足場板を設置した吊り足場が用いられる。
【０００３】
また、設置作業時間の短縮、安全性の確保等を目的とした吊り足場が種々、開示されている（例えば、特許文献１及び特許文献２参照）。特許文献１に記載された吊り足場は、側面略コ字状のフレーム材は、高架橋等の高欄の上端を下側から挿入し、該高欄の上端部を高欄の外側面側へのネジの押圧で挟み込むことで高欄上端に固定する挟持部を端部に形成し、かつ、高欄上で高架橋等の外側方向に向けて水平に架設する上横枠と、この上横枠の先端部側に連結される垂下枠と、この垂下枠の下部から高架橋等の方向に水平に突出する下横枠とにより構成され、前記上横枠は前記垂下枠よりも太径の強度部材でハンガータイプのものとして前記垂下枠以下を吊り支承し、前記上横枠の先端部と垂下枠との結合コーナーに対してトラス枠を構成する補強フレームを架設して吊り補強部を形成し、さらに垂下枠の途中から壁当て支承梁材をその先端部を高欄外側面に向けて突設し、かかる側面略コ字状のフレーム材を高欄の上端を前記挟持部で挟み込むことで高欄の外側垂直側壁の連続方向に沿って所定ピッチで並置させ、かつ、横地材で一体的に連結し、前記下横枠上に足場板架け渡し、前記挟持部で行う挟持に対応して壁当て支承梁材で高欄外側面からの支持反力を得ることを特徴としている。
【０００４】
この特許文献１に記載された吊り足場によると、高架橋等の高欄の上端を下側から挿入して、高欄の上端部を着脱自在に挟み込むことで、簡単かつ迅速に設置および撤去ができ、しかも、力のかかる部分の強度を十分に計算して安定した状態で荷重を支えることができる吊り足場を提供することができる、と記載されている。
【０００５】
また、特許文献２に記載された橋梁用吊り足場は、橋梁の下面側で前記橋梁を横断する足場ステージ部材を設け、橋梁の路面に対して接地するための支持脚部材を取り付ける支持部を上部に備え、且つ、下部に前記足場ステージ部材を連結保持可能なステージホルダー部を備え、前記ステージホルダー部には、前記足場ステージ部材の一端部を前記橋梁の幅方向中央部側に向けて出退自在に、前記足場ステージ部材を組み付けてあり、前記支持部は、前記吊足場本体枠を前記橋梁の横外側に配置する状態で、前記支持脚部材を前記橋梁の路面に接地可能に取り付けるべく前記橋梁の幅方向中央側に向けて前記吊足場本体枠の上部から延設してあり、全体の重心位置を、前記支持脚部材の接地部と前記吊足場本体枠との間に位置するように形成してあることを特徴としている。
【０００６】
この特許文献２に記載された吊り足場によると、吊り足場の設置作業時間を短縮でき、且つ安全性及び省力化を確保でき、しかも設置後において一般車両の通行を妨げることのない吊り足場を提供することができる、と記載されている。
【先行技術文献】
【特許文献】
【０００７】
【特許文献１】特許第４５７４７０５号公報
【特許文献２】特開２０１７−１１５５６９号公報
【発明の概要】
【発明が解決しようとする課題】
【０００８】
しかしながら、従来のチェーン及び鋼管を使用した吊り足場によると、この吊り足場を設置するにあたって、地覆や防護柵等にチェーンを固定するための工事用専用足場の設置が追加で必要となる場合がある。また、鋼管をチェーンに吊り下げる作業、或いはチェーンからの撤去する作業は非常に危険を伴うと共に、吊り足場自体の設置作業工程が多いため、設置作業に時間を要する。
【０００９】
特許文献１に記載された吊り足場によると、チェーン及び鋼管を使用した従来の吊り足場と比較して、設置作業時間の短縮化は図られるものと思料する。
【００１０】
しかしながら、上記特許文献１に記載された吊り足場は高欄の上端部を挟持する形式であるため、高欄や防護柵等の被挟持部がない橋梁では吊り足場の設置ができないものと思料する。
【００１１】
一方、特許文献２に記載された吊り足場によると、高欄や防護柵等の被挟持部がなくとも設置が可能であると共に、設置作業時間の短縮化、安全性の確保等が可能であるものと思料する。
【００１２】
しかしながら、特に山間部等に架設された有効幅員が幅狭な橋梁の点検や補修等においては、安全性を確保しつつ、作業効率の向上による設置作業時間の更なる短縮化が求められると共に、搬送時におけるコンパクト化も求められている。
【００１３】
そこで本願発明者は、上記の問題点に鑑み、安全性を確保しつつ、折りたたみ可能な構成とすることによって作業効率を向上させ、設置作業時間の大幅な短縮化を図ると共に、搬送時におけるコンパクト化を図った懸垂式の折りたたみ足場を提供するべく鋭意検討を重ねた結果、本発明に至ったのである。
【課題を解決するための手段】
【００１４】
即ち、本発明の懸垂式折りたたみ足場は、作業足場と、前記作業足場から上方に向かって延設され、前記作業足場とピン接合により連結される昇降部と、前記昇降部にピン接合により連結される渡り部と、前記渡り部の先端側に連結され、前記作業足場、前記昇降部及び前記渡り部を一体に支持する支持部と、を含んで成り、前記昇降部が上下方向に分割された複数の昇降部枠体で構成され、一の前記昇降部枠体と他の前記昇降部枠体との連結部がピン接合によって連結され、前記作業足場及び前記渡り部に対して前記昇降部が回動すると共に、前記一の昇降部枠体と前記他の昇降部枠体とが連結部において屈曲することによって折りたたみ可能に構成されていることを特徴とする。
【００１５】
また、本発明の懸垂式折りたたみ足場において、前記支持部がカウンタウェイトを備え、前記カウンタウェイトがハンプ構造をなすことを特徴とする。
【００１６】
更に、本発明の懸垂式折りたたみ足場において、前記複数の昇降部枠体の上下方向に沿って複数の梯子部材が配設され、前記複数の梯子部材が前記複数の昇降部枠体にピン接合によって連結されていることを特徴とする。
【００１７】
また、本発明の懸垂式折りたたみ足場において、前記昇降部に複数の柵部材を備えることを特徴とする。
【発明の効果】
【００１８】
本発明の懸垂式折りたたみ足場によると、作業足場と、昇降部と、渡り部とがピン接合されると共に、昇降部を構成する複数の昇降部枠体同士もピン接合されているため、作業足場及び渡り部に対して昇降部が回動すると共に、昇降部を連結部で屈曲させることによって、本発明の懸垂式折りたたみ足場全体を折りたたみ可能に構成することができる。従って、渡り部を吊り上げることによって作業足場の重量で昇降部が自動展開するため、設置作業における作業効率を大幅に向上することができ、設置作業時間の大幅な短縮化が図られる。
【００１９】
また、昇降部が折りたたみ可能に構成されることによって、搬送時におけるコンパクト化も図られ、比較的小型のトラックでの搬送も可能となる。
【００２０】
また、本発明の懸垂式折りたたみ足場において、支持部がカウンタウェイトを備え、このカウンタウェイトがハンプ構造（平板状）をなすことによって、本発明の懸垂式折りたたみ足場を設置後は、有効幅員が幅狭な橋梁であっても車両の通行や通行人の往来を妨げることなく、橋梁の点検や補修等を行うことができる。
【００２１】
また、本発明の懸垂式折りたたみ足場において、複数の昇降部枠体の上下方向に沿って複数の梯子部材が配設され、この複数の梯子部材が複数の昇降部枠体にピン接合によって連結されていることによって、昇降部を折りたたみ可能に構成した状態で作業員の昇降用梯子を配設することができ、足場の設置作業効率及び安全性の向上が図られる。
【００２２】
また、本発明の懸垂式折りたたみ足場において、昇降部に複数の柵部材を備えることによって、作業員が昇降部を昇降移動する際の安全性の更なる向上が図られる。
【図面の簡単な説明】
【００２３】
【図１】本発明の一実施形態に係る懸垂式折りたたみ足場の設置状況を示す正面図である。
【図２】図１に示した懸垂式折りたたみ足場に係る昇降部の左側面図である。
【図３】図１に示した懸垂式折りたたみ足場に係る支持部の右側面図である。
【図４】図１に示した懸垂式折りたたみ足場を折りたたんだ状態を示す正面図である。
【図５】図１に示した懸垂式折りたたみ足場を展開する途中段階を示す正面図である。
【図６】本発明の他の実施形態に係る懸垂式折りたたみ足場の設置状況を示す概略正面図である。
【図７】図６に示した懸垂式折りたたみ足場を折りたたんだ状態を示す正面図である。
【発明を実施するための形態】
【００２４】
以下、本発明の懸垂式折りたたみ足場の実施形態について、図面に基づいて詳述する。図１は、本発明の一実施形態に係る懸垂式折りたたみ足場１の設置状況を示す概略正面図である。同図に示すように、本実施形態の懸垂式折りたたみ足場１は、橋梁Ａの桁下等における点検や補修、補強等の維持管理作業に好適な懸垂式の折りたたみ足場であって、作業足場２と、作業足場２から上方に向かって延設され、作業足場２とピン接合により連結される昇降部３と、昇降部３にピン接合により連結される渡り部４と、渡り部４の先端側に連結され、作業足場２、昇降部３及び渡り部４を一体に支持する支持部５と、を含んで成る。
【００２５】
作業足場２は、図１に示すようにトラス構造をなしているが、当該構造に限定されず、スラブ構造であってもよい。また、この作業足場２の上面側周縁には、後述する組立作業時において、手摺りが設置されることが好ましい。手摺りを設置することによって、作業足場２上における点検等の作業時の安全性が確保される。
【００２６】
この作業足場２の前端２ａ側は橋梁Ａの桁下に張り出した状態となり、後端２ｂ側には、図１及び図２に示すように、昇降部３がピン接合によって連結される。昇降部３は、本実施形態の懸垂式折りたたみ足場１が組み立てられた状態のとき、作業足場２から上方に向かって延設された状態となる。本実施形態においては、昇降部３の下端３ａ側と、作業足場２の後端２ｂ側とがピンＰ１、Ｐ２によるピン接合によって連結されている。
【００２７】
そして、本実施形態に係る昇降部３は、上下方向に分割された複数の昇降部枠体６、６・・で構成されている。昇降部３の分割数、つまり昇降部３を構成する昇降部枠体６の構成数は特に限定されないが、昇降部枠体６の構成数は２〜３であることが、昇降部３の構成が複雑化しすぎず、昇降部３の強度や組立時の作業性等の観点からも特に好ましい。本実施形態においては、昇降部３を上側の昇降部枠体７と下側の昇降部枠体８との二分割で構成している。
【００２８】
また、これら上側の昇降部枠体７（＝一の昇降部枠体６）と下側の昇降部枠体８（＝他の昇降部枠体６）との連結部９がピン接合によって連結されている。具体的には、本実施形態に係る昇降部枠体７の下端７ａ側と、昇降部枠体８の上端８ａ側との連結部９がピンＰ３、Ｐ４によるピン接合によって連結されている。
【００２９】
更に、本実施形態に係る昇降部３を構成する複数の昇降部枠体６（本実施形態では上側の昇降部枠体７と下側の昇降部枠体８）には、その上下方向に沿って複数の梯子部材１０が配設されている。これら複数の梯子部材１０は、昇降部３を構成する本実施形態に係る昇降部枠体７、８に、ピンＰ５、Ｐ６によるピン接合によって連結されている。
【００３０】
また、上記の昇降部３の上方には、ピン接合によって渡り部４が連結される。本実施形態においては、渡り部４の前端４ａ側は橋梁Ａの桁上に張り出した状態となり、後端４ｂ側に昇降部３の上端３ｂ側がピンＰ７、Ｐ８によるピン接合によって連結されている。なお、図１に示すように、渡り部４も本実施形態に係る作業足場２と同様、トラス構造をなしているが、当該構造に限定されず、スラブ構造であってもよい。また、この渡り部４の上面側周縁にも、後述する組立作業時において、手摺りが設置されることが好ましい。
【００３１】
そして、本実施形態に係る上記の渡り部４の先端４ａ側には、支持部５が連結される。支持部５は、図３に示すように、主として支持部枠１１と、この支持部枠１１が連結されるカウンタウェイト１２とを含んで構成される。
【００３２】
本実施形態では、支持部５に係る支持部枠１１の上端１１ａ側に渡り部４の先端４ａ側がピンＰ９、Ｐ１０によるピン接合によって連結されている。また、支持部枠１１の下端１１ｂ側にはカウンタウェイト１２が連結されている。つまり、橋梁Ａ上に設置される支持部枠１１及びカウンタウェイト１２を含んで構成される支持部５によって、本実施形態の懸垂式折りたたみ足場１に係る作業足場２、昇降部３及び渡り部４が一体に支持されることとなる。
【００３３】
なお、本実施形態に係る支持部５を構成する支持部枠１１の高さは特に限定されず、橋梁Ａが備える防護柵Ｂや高欄、地覆等の高さに応じて適宜選択される。
【００３４】
また、本実施形態に係る支持部５はカウンタウェイト１２を備えるが、支持部５を構成する支持部枠１１を橋梁１に係る防護柵Ｂや地覆等に直接固定することが可能であれば、必ずしもカウンタウェイト１２を備えなくてもよい。しかし、橋梁Ａに係る防護柵Ｂや地覆等に支持部枠１１を固定するための作業が発生したり、防護柵Ｂ等の強度が問題となったりするため、本実施形態の懸垂式折りたたみ足場１を支持可能なカウンタウェイト１２を予め備えておくことが好ましい。
【００３５】
更に、本実施形態に係る支持部５が備えるカウンタウェイト１２の形状も特に限定されず、直方体等の立体形状のカウンタウェイトであってもよいが、図１に示すような、ハンプ構造（平板状）をなすことが好ましい。カウンタウェイト１２の形状をハンプ構造（平板状）とすることによって、本実施形態の懸垂式折りたたみ足場１を橋梁Ａに設置した際、橋梁Ａ上に設置したカウンタウェイト１２が車両の通行や通行人の往来を妨げることがないため、橋梁Ａの有効幅員が幅狭な場合であっても、車両の通行止めや片側交互通行といった通行制限をすることなく橋梁の点検や補修等を行うことができる。
【００３６】
以上の構成を備える本実施形態の懸垂式折りたたみ足場１は、作業足場２と、昇降部３と、渡り部４とがピン接合によって連結されている。更に、昇降部３が上側の昇降部枠体７と下側の昇降部枠体８との二分割で構成されると共に、これら上側の昇降部枠体７（＝一の昇降部枠体６）と下側の昇降部枠体８（＝他の昇降部枠体６）との連結部９、及び昇降部枠体７、８に配設される複数の梯子部材１０もピン接合によって連結されている。従って、本実施形態の懸垂式折りたたみ足場１は、図４に示すように、作業足場２及び渡り部４に対して昇降部３が回動すると共に、上側の昇降部枠体７と下側の昇降部枠体８との連結部９において昇降部３が屈曲することによって、懸垂式折りたたみ足場１を折りたたみ可能に構成することができる。
【００３７】
また、橋梁Ａに本実施形態の懸垂式折りたたみ足場１を設置する際は、懸垂式折りたたみ足場１に係る渡り部４を吊り上げることによって、図５に示すように、作業足場２の重量で昇降部３が自動展開していくため、設置作業における作業効率を大幅に向上することができ、設置作業時間の大幅な短縮化が図られる。なお、渡り部４の上面側周縁に手摺りを設置する場合は、渡り部４を吊り上げる前段階で手摺りを設置しておくことが好ましい。
【００３８】
以上のように、渡り部４を吊り上げて昇降部３が完全に展開した状態で作業足場２を橋梁Ａの桁下における所定位置に配設し、橋梁Ａ上に配設した支持部５に連結することによって、作業足場２、昇降部３及び渡り部４が支持部５で一体に支持され、本実施形態の懸垂式折りたたみ足場１の設置が完了する。
【００３９】
一方、懸垂式折りたたみ足場１を撤去する際は、支持部５から渡り部４を外して吊り上げ、懸垂式折りたたみ足場１を搬送するためのトラックの荷台等に作業足場２を載置する。そして、そのまま渡り部４を下ろしていくと、作業足場２及び渡り部４に対して昇降部３が回動すると共に、昇降部３が連結部９において屈曲し、図５に示す状態を経て、図４に示す状態に折りたたむことができる。このように、本実施形態の懸垂式折りたたみ足場１に係る昇降部３が折りたたみ可能に構成されることによって、搬送時におけるコンパクト化も図られ、比較的小型のトラックでの搬送も可能となる。従って、山間部等にある橋梁のように、作業現場までの道中が幅狭の場合であっても、本実施形態の懸垂式折りたたみ足場１を搬送し、設置することが可能となる。
【００４０】
以上、本発明の懸垂式折りたたみ足場の一実施形態について詳述したが、本発明の懸垂式折りたたみ足場は上記の実施形態に限定されるものではない。例えば、上記の実施形態に係る懸垂式折りたたみ足場１においては、昇降部３を構成する複数の昇降部枠体６（昇降部枠体７、８）の上下方向に沿って複数の梯子部材１０が配設され、これら複数の梯子部材１０がピンＰ５、Ｐ６によるピン接合によって連結されているため、昇降部３を折りたたみ可能に構成した状態で作業員の昇降用梯子を配設することができ、懸垂式折りたたみ足場１の設置作業効率の向上及び作業員の昇降時の安全性向上が図られる。
【００４１】
しかし、昇降部３を構成する複数の昇降部枠体６には必ずしも複数の梯子部材１０が配設されなくてもよく、本発明の懸垂式折りたたみ足場を橋脚Ａに設置後、昇降部内に梯子を別途設置することによって作業員は昇降部を昇降可能となり、本発明の懸垂式折りたたみ足場の構成をより簡素化することができると共に、懸垂式折りたたみ足場の軽量化も図られる。
【００４２】
また、図１に示すように、本実施形態の懸垂式折りたたみ足場１を展開後、或いは橋梁Ａへの懸垂式折りたたみ足場１の設置後、作業足場２と昇降部３との連結部、昇降部３と渡り部４との連結部において、各連結部における連結状態をより強固にして安全性の更なる向上を図るべく、ピンＰ１１、Ｐ１２、Ｐ１３、Ｐ１４によってピン接合されることがより好ましい。
【００４３】
更に、本発明の懸垂式折りたたみ足場において、昇降部には複数の柵部材を備えることが、作業員が昇降部を昇降移動する際の安全性の更なる向上が図られるため特に好ましい。具体的には、図１及び図２に示す本実施形態の懸垂式折りたたみ足場１において、昇降部３の上下方向に沿って複数の柵部材１３が配設されている。柵部材１３は、昇降部３を構成する昇降部枠体７及び昇降部枠体８にピン接合されている。この柵部材１３は、懸垂式折りたたみ足場１に係る昇降部３の展開後に設置されてもよいが、図５に示すような昇降部３の展開途中で設置することが、作業効率及び安全性の観点からより好ましい。
【００４４】
また、本発明の懸垂式折りたたみ足場の他の実施形態を図６及び図７に示す。これらの図に示した本実施形態に係る懸垂式折りたたみ足場１ａは、基本的な構成は上記の実施形態に係る懸垂式折りたたみ足場と同様であって、作業足場２と、昇降部３と、渡り部４と、支持部５とを含んで構成され、それぞれがピン接合によって連結されている。
【００４５】
また、昇降部３は、上側の昇降部枠体７（＝一の昇降部枠体６）と下側の昇降部枠体８（＝他の昇降部枠体６）との二分割で構成されると共に、これら上側の昇降部枠体７と下側の昇降部枠体８との連結部９、及び昇降部枠体７、８に配設される複数の梯子部材１０もピン接合によって連結されている。
【００４６】
ここで、本実施形態の懸垂式折りたたみ足場１ａでは、昇降部３の中間部近傍３ｃ（本実施形態では上側の昇降部枠体７（＝一の昇降部枠体６）に係る下端７ａ側）と、渡り部４の後端４ｂ側とがピンＰ１５、Ｐ１６によるピン接合によって連結されている。
【００４７】
上記の構成を備える本実施形態の懸垂式折りたたみ足場１ａによると、この懸垂式折りたたみ足場１ａに係る渡り部４を吊り上げて昇降部３を展開した際、図６に示すように、渡り部４と作業足場２間の昇降距離ｈ２を、上記の実施形態に係る懸垂式折りたたみ足場１の昇降距離ｈ１と比較して短くすることができる。つまり、昇降部３と渡り部４との連結箇所を調節することによって、昇降部３の展開時における渡り部４と作業足場２との昇降距離を容易に調節することができる。
【００４８】
なお、図６に示すように、懸垂式折りたたみ足場１ａを展開した際、或いは橋梁Ａへの懸垂式折りたたみ足場１ａの設置後、作業足場２と昇降部３との連結部、昇降部３と渡り部４との連結部において、各連結部における連結状態をより強固にして安全性の更なる向上を図るべく、ピンＰ１１、Ｐ１２、Ｐ１７、Ｐ１８によってピン接合されることがより好ましい。
【００４９】
以上の通り、本発明の懸垂式折りたたみ足場によると、全体構成は変更せず、昇降部と渡り部との連結箇所を調節するのみで、渡り部と作業足場間の昇降距離を容易に調節することができる。従って、懸垂式折りたたみ足場の設置現場における昇降距離を事前に把握しておくことによって、懸垂式折りたたみ足場の搬送前に事前に昇降部と渡り部との連結箇所を調節することができる。更に、懸垂式折りたたみ足場の設置現場においては、渡り部を吊り上げて昇降部を展開するのみで容易に懸垂式折りたたみ足場を設置することが可能となり、作業効率が向上し、設置作業時間の大幅な短縮化が図られる。
【００５０】
以上、本発明の実施形態に係る懸垂式折りたたみ足場について詳述したが、本発明の技術的思想を実質的に限定するものと解してはならない。本発明はその要旨を逸脱しない範囲で、当業者の創意と工夫により、適宜に改良、変更又は追加をしながら実施できる。
【符号の説明】
【００５１】
１、１ａ：懸垂式折りたたみ足場
２：作業足場
３：昇降部
４：渡り部
５：支持部
６、７、８：昇降部枠体
９：連結部
１０：梯子部材
１１：支持部枠
１２：カウンタウェイト
Ａ：橋梁
Ｂ：防護柵
【図１】
2019148097.tif 000003
【図２】
2019148097.tif 000004
【図３】
2019148097.tif 000005
【図４】
2019148097.tif 000006
【図５】
2019148097.tif 000007
【図６】
2019148097.tif 000008
【図７】
2019148097.tif 000009